(57)【要約】【課題】  核を迅速に判別する。【解決手段】  検査対象の核１５に対し波長の異なる光を照射する照射手段５と、前記照射された光が前記核１５によって反射した反射光を検出する検査手段７と、前記検出された反射光に基づく光反射率の特性によって前記核１５を判別する判別手段９とよりなることを特徴とする。従って、前記照射手段５により核１５に対し光を照射して前記核で反射させ、この反射光を前記検査手段７によって検出することができる。そして、前記反射光に基づく光反射率の特性の相違によって、核１５を迅速且つ的確に判別することができる。【選択図】      図１
2006208204.tif 000002
【特許請求の範囲】
【請求項１】
検査対象の核に対し波長の異なる光を照射する照射手段と、
前記照射された光が前記核によって反射した反射光を検出する検査手段と、
前記検出された反射光に基づく光反射率の特性によって前記核を判別する判別手段とよりなることを特徴とする核の検査装置。
【請求項２】
請求項１記載の核の検査装置であって、
前記判別手段は、少なくとも異なる２波長の光に対する光反射率によって前記光反射率の特性を判断することを特徴とする核の検査装置。
【請求項３】
請求項１又は２記載の核の検査装置であって、
前記照射手段は、少なくとも紫外線及び可視光線を照射可能であることを特徴とする核の検査装置。
【請求項４】
請求項１又は２記載の核の検査装置であって、
前記照射手段は、少なくとも２８０Ｎｍ又は３１０Ｎｍと４００Ｎｍ又は５００Ｎｍとの波長の光を照射可能であることを特徴とする核の検査装置。
【請求項５】
波長の異なる光に対する核の光反射率を検出し、該光反射率の特性に基づいて核を判別することを特徴とする核の検査方法。
【請求項６】
波長の異なる光に対する核の光反射率を検出し、該光反射率の特性に基づいて核を一次判別する一次工程と、前記一次工程によって抽出した核を、交差２軸での異方性を検出することにより材質に異方性のある核と異方性の無い核とを二次判別する二次工程とを備えたことを特徴とする核の検査方法。
【請求項７】
請求項６記載の核の検査方法であって、
前記異方性の検出は、前記核の液中での浮力による回転、又は前記核の磁化率、又は前記核の光透過率、又は前記核の光反射率を用いたことを特徴とする核の検査方法。
【発明の詳細な説明】
【技術分野】
【０００１】
本発明は、真珠核等を判別可能な核の検査装置及び方法に関する。
【０００２】
真珠核には、どぶ貝が用いられているもの、シャコ貝が用いられているもの、人工核が用いられているもの等、種々のものが混在している。
【０００３】
この内、シャコ貝はワシントン条約で政府の許可証がある以外は当該国からの輸出が禁止されており、シャコ貝の真珠核やシャコ貝を真珠核としている真珠を的確に判別し許可無く輸出されるのを防止する必要がある。人工核が用いられている真珠はその価値が低く、これらを的確に判別して除去し、真珠の品質を確保する必要がある。
【０００４】
この場合、真珠層が形成されていない真珠核そのものであれば、その外観によっておよその判別は可能である。
【０００５】
しかし、外観の目視による判別では判別精度に難点がある。また、判別すべき真珠は大量に存在し、外観の目視による判別では多数の検査員を必要とし、その員数、判別精度を考慮すると現実には判別不可能である。
【０００６】
さらに、真珠層が形成された後に真珠核の材質を判別することは殆ど不可能である。
【０００７】
このような問題を解決するため、真珠核に対し光を照射することによって真珠核の材質を判別する核の検査装置がある。この装置では、発光部と受光部とを対向配置し、核を透過した発光部からの光を受光部により受光することによって光透過率分布を得て光ＣＴ画像を生成する。
【０００８】
しかしながら、このような装置では、真珠核の迅速な判別を行うことができなかった。
【０００９】
【特許文献１】特開平１０−２６０１３６号公報
【発明の開示】
【発明が解決しようとする課題】
【００１０】
解決しようとする問題点は、核を迅速に判別できない点にある。
【課題を解決するための手段】
【００１１】
本発明は、核を迅速に判別するために、検査対象の核に対し波長の異なる光を照射する照射手段と、前記照射された光が前記核によって反射した反射光を検出する検査手段と、前記検出された反射光に基づく光反射率の特性によって前記核を判別する判別手段とよりなることを最も主な特徴とする。
【発明の効果】
【００１２】
本発明の核の検査装置は、核の材質を迅速に判別するために、検査対象の核に対し波長の異なる光を照射する照射手段と、前記照射された光が前記核によって反射した反射光を検出する検査手段と、前記検出された反射光に基づく光反射率の特性によって前記核を判別する判別手段とよりなるため、光反射率の特性の相違により核を迅速且つ的確に判別することができる。
【００１３】
前記判別手段が少なくとも異なる２波長の光に対する光反射率によって前記光反射率の特性を判断する場合は、より迅速に核を判別することができる。
【００１４】
前記照射手段が少なくとも紫外線及び可視光線を照射可能である場合は、紫外線と可視光線に対する光反射率の特性に基づいて、核をより迅速且つ的確に判別することができる。
【００１５】
前記照射手段が少なくとも２８０Ｎｍ又は３１０Ｎｍと４００Ｎｍ又は５００Ｎｍとの波長の光を照射可能である場合は、２８０Ｎｍ又は３１０Ｎｍと４００Ｎｍ又は５００Ｎｍとの波長の光に対する光反射率の特性に基づいて、より迅速且つ的確に核を判別することができる。
【００１６】
本発明の核の検査方法は、波長の異なる光に対する核の光反射率を検出し、該光反射率の特性に基づいて核を判別することを特徴とする。
【００１７】
従って、光反射率の特性の相違により核を迅速且つ的確に判別することができる。
【００１８】
波長の異なる光に対する核の光反射率を検出し、該光反射率の特性に基づいて核を一次判別する一次工程と、前記一次工程によって抽出した核を、交差２軸での異方性を検出することにより材質に異方性のある核と異方性の無い核とを二次判別する二次工程とを備えた場合は、一次工程で光反射率の相違によって迅速に核を大別し、さらに、かかる大別によって抽出した核のみ二次工程で交差２軸での異方性の有無によって、より詳細に核を判別することができ、より的確に核を判別することができる。
【００１９】
前記二次工程の異方性の検出に、前記核の液中での浮力による回転、又は前記核の磁化率、又は前記核の光透過率、又は前記核の光反射率を用いた場合は、核の交差２軸での異方性を確実且つ迅速に検出し、核を判別することができる。
【発明を実施するための最良の形態】
【００２０】
核を迅速に判別するという目的を、光反射率の特性に基づく判別により実現した。
【実施例１】
【００２１】
図１は、本発明の実施例１に係り、核の検査装置の概略全体図である。
【００２２】
図１のように、核の検査装置１は、供給手段３と、照射手段としてのランプ５と、検査手段７と、判別手段としてのコントローラ９とよりなっている。
【００２３】
前記供給手段３は、周方向に回転可能な回転盤１１を備えている。回転盤１１の回転は、例えばモータ等によって所定時間毎に所定角度回転するようになっている。回転盤１１の上面縁部には、真珠核１５を保持するための凹部１３が周方向に複数所定のピッチで設けられている。そして、凹部１３に真珠核１５を保持した状態で、回転盤１１が回転することによって順次ランプ５側に真珠核１５を供給可能となっている。ただし、供給手段３は省略することも可能である。
【００２４】
前記ランプ５は、紫外線から可視光線・赤外線の異なる波長の光を照射する。本実施例では、１９０Ｎｍ〜２２００Ｎｍの波長の光を照射可能となっている。ただし、ランプ５は、２８０Ｎｍと３１０Ｎｍと４００Ｎｍと５００Ｎｍ等のように特定波長の光のみを照射可能に構成することも可能である。このランプ５は、例えば重水素ハロゲンランプによって構成されている。ただし、例えばキセノンアークランプやキセノンフラッシュランプ等とすることも可能である。前記ランプ５は、コントローラ７に接続されており、そのコントローラ７によって照射する光の波長が制御される。前記照射する光は、参照光として前記検査手段７によって直接測定できるようになっている。
【００２５】
前記検査手段７は、モノクロメータ１７、検出器１９、増幅器２１、レコーダ２３を備えている。この検査手段７は、真珠核１５で反射した反射光が対物レンズ２５を介してモノクロメータ１７へ導入される。
【００２６】
前記モノクロメータ１７は、導入スリット２７から前記反射光を内部へ導入するようになっている。前記導入された反射光は、特定の波長成分の単色光が取り出されて、測定光として導出スリット２９から導出される。
【００２７】
前記検出器１９は、前記導出スリット２９の外側に配置され、前記導出された前記測定光を検出する。検出器１９からは、増幅器２１へ信号が出力されるようになっている。
【００２８】
前記増幅器２１は、検出器１９からの信号を増幅しレコーダ２３へ出力する。
【００２９】
前記レコーダ２３は、増幅器２１からの信号を記録する。レコーダ２３は、コントローラ７に接続されており、コントローラ７へ信号を出力可能となっている。
【００３０】
次に本実施例の核の検査装置の作用を核の検査方法と共に述べる。
【００３１】
本実施例では、まず、一次工程において波長の異なる光に対する真珠核１５の光反射率を検出し、該光反射率の特性に基づいて真珠核１５を一次判別する。次いで、二次工程において、一次工程によって抽出した真珠核１５を、交差２軸での異方性を検出することにより材質に異方性のある核と異方性の無い核とを二次判別する。
【００３２】
前記一次工程の光反射率の測定は、紫外線から可視光線・赤外線を真珠核に照射しその反射光と参照光との比から反射率の波長依存性を測定する。すなわち、図１のように、供給手段３の回転盤１１上に複数の真珠核１５を保持する。この状態で、回転盤１１を回転させ、順次ランプ５側に真珠核１５を供給する。
【００３３】
供給された真珠核１５には、ランプ５によって光が照射される。光の照射は、コントローラ９によるランプ５の制御によって、波長を変化させながら行われる。これにより、紫外線から可視光線・赤外線の波長の異なる光が真珠核１５に対し照射されることになる。ここで、照射される光は、予め参照光として前記検査手段７によって直接測定しコントローラ９に入力しておく。前記参照光の波長特性は、図２のようになっている。
【００３４】
図２は、参照光としてのランプの波長特性を示すグラフである。図２の縦軸は光度を示し、横軸は波長を示している。
【００３５】
そして、真珠核１５では照射された光が反射する。この反射した反射光は、対物レンズ２５を介して検査手段７のモノクロメータ１７に導入される。前記反射光は、特定の波長成分の単色光が取り出されて測定光として導出スリット２９から導出され、検出器１９で検出される。検出器１９からは、増幅器２１を介してレコーダ２３へ信号が出力される。これによって、レコーダ２３は、測定光を記録することになる。
【００３６】
前記レコーダ２３からは、コントローラ９へ前記信号が出力される。従って、コントローラ９には、レコーダ２３に記録された測定光が入力される。そして、コントローラ９では、入力された参照光と測定光との比から光反射率の波長依存性を測定する。
【００３７】
図３は、セラミック、珊瑚、プラスチック、バイロナイト、白チョウ貝、イケチョウ貝、シミ入りどぶ貝、どぶ貝、又はシャコ貝を用いた真珠核の光反射率の測定結果を示したグラフである。図３の縦軸は反射率を示し、横軸は波長を示している。
【００３８】
図３において、線分３１はセラミックを、線分３２は珊瑚を、線分３３はプラスチックを、線分３４はバイロナイト、線分３５は白チョウ貝を、線分３６はイケチョウ貝を、線分３７はシミ入りどぶ貝を、線分３８はどぶ貝を、線分３９はシャコ貝をそれぞれ真珠核１５に用いた場合を示している。
【００３９】
図３から明らかなように、光反射率の波長特性より短波長域の光反射率の比較、例えば２８０Ｎｍ又は３１０Ｎｍと４００Ｎｍ又は５００Ｎｍにおける光反射率の比較をすると、シャコ貝の真珠核１５は紫外線領域と可視光線領域との間で光吸収の差が少なく光反射率の差が少ない。
【００４０】
これに対し、セラミック、珊瑚、プラスチック、バイロナイト、白チョウ貝、イケチョウ貝、シミ入りどぶ貝、どぶ貝の真珠核１５は紫外線領域に特異な光吸収があり光反射率の差が大きい。従って、セラミック、珊瑚、プラスチック、バイロナイト、白チョウ貝、イケチョウ貝、シミ入りどぶ貝、どぶ貝の真珠核１５は、シャコ貝の真珠核１５と比較して特異な光反射率の特性を有している。
【００４１】
すなわち、どぶ貝及びシミ入りどぶ貝の核は２８０Ｎｍ付近で大きな光吸収が見られ、白チョウ貝及びイケチョウ貝の核も２８０Ｎｍ付近で光吸収が見られる。この光吸収は、コンキオリン等のタンパク質の作用によるものと考えられる。これに対し、シャコ貝の核は、上記のような２８０Ｎｍ付近での光吸収はほとんど見られない。
【００４２】
前記バイロナイトの核は３１０Ｎｍ付近で光吸収が見られる。前記プラスチックの核は４００Ｎｍ以下で光反射が見られない。前記セラミック及び珊瑚の核は著しい光吸収は見られない。
【００４３】
このため、セラミック、珊瑚、プラスチック、バイロナイト、白チョウ貝、イケチョウ貝、シミ入りどぶ貝、どぶ貝の核は、例えば２８０Ｎｍや３１０Ｎｍ付近の１波長領域での光反射率と４００Ｎｍや５００Ｎｍ付近の別の１波長領域での光反射率とから、光反射率の差が設定値より上回る特異な光反射率の特性を確認することができる。
【００４４】
従って、特異な光反射率の特性を有していれば、セラミック、珊瑚、プラスチック、バイロナイト、白チョウ貝、イケチョウ貝、シミ入りどぶ貝、どぶ貝の核と判断することができ、特異な光反射率の特性を有していなければ、シャコ貝の核と判断することができる。
【００４５】
このように、２箇所以上の波長領域における光吸収の割合を比較すれば、シャコ貝とそれ以外の真珠核を大別することが可能である。
【００４６】
従って、一次工程では、異なる２波長の光に対する光反射率から真珠核１５の光反射率の特性を判断し該光反射率の特性に基づいて真珠核１５の判別を行うため、真珠核１５を迅速且つ的確に判別することができる。
【００４７】
すなわち、光吸収の測定は高速での検査が可能なため、前記のようにして真珠核１５の高速大別を行わせることができ、時間当たり数万個の大量検査が可能な装置を実現することができる。
【００４８】
しかも、２８０Ｎｍ又は３１０Ｎｍと４００Ｎｍ又は５００Ｎｍの特定の異なる２波長の光に対する光反射率からその特性を判断するため、より迅速且つ的確に判別を行わせることができる。
【００４９】
同時に、複数の波長領域における光吸収の特徴を判定することで、シャコ貝以外のどぶ貝や白チョウ貝、イケチョウ貝の他に珊瑚やセラミック、プレ明日チック等を個別に判別することができる。例えば、２８０Ｎｍと４００Ｎｍと５００Ｎｍ等のように異なる３つ以上の波長領域での光反射率から特性を判断することで、セラミック、珊瑚、プラスチック、バイロナイト、白チョウ貝、イケチョウ貝、シミ入りどぶ貝、どぶ貝等をそれぞれ判別することも可能である。
【００５０】
なお、個々の光反射率の変化の線分全体を比較して判別することも可能である。
【００５１】
次いで、一次判別された真珠核１５は、適宜抽出されて二次工程が行われる。本実施例では、シャコ貝を用いた真珠核とどぶ貝を用いた真珠核とを判別する場合を例にとって説明する。
【００５２】
前記二次工程では、図４，図５に示すような核の検査装置１Ａが用いられる。図４は二次工程に用いられる核の検査装置の概略平面図、図５は同要部概略側面図である。
【００５３】
図４、図５のように、核の検査装置１Ａは、検査液槽４１と、発光部を構成するランプ４３，４４と、受光部を構成するＣＣＤカメラ４５，４６と、判別手段を構成するコントローラ９Ａとからなっている。
【００５４】
前記検査液槽４１は、例えば光を透過する透明の材質で形成され、供給部４７と、流路部４９と、第１選別路部５１と、第２選別路部５３とからなっている。
【００５５】
前記供給部４７は、球形状の核として真珠核１５を多数受け入れ、流路部４９へ１つずつ流出供給する。
【００５６】
前記流路部４９は、前記真珠核１５を１つずつ連続して流す。
【００５７】
前記第１，第２選別路部５１，５３は、前記流路部４９の下流端に分岐して形成されている。第１，第２選別路部５１，５３間に、選別ドア５５が設けられている。選別ドア５５は、モータ５７の駆動によって、第１選別路部５１閉塞状態と第２選別路部５３閉塞状態とへ切り替えるように回転制御される。モータ５７の駆動は、前記コントローラ９Ａによって制御される。
【００５８】
前記ランプ５３は、検査液槽４１の流路部４９下面側に配置されている。ランプ５３によって、流路部４９の下方から上方へ光を発する。前記ランプ５４は、検査液槽４１の流路部４９側面側に配置されている。ランプ５４によって、流路部４９の横方向一方から同他方へ光を発する。従って、ランプ４３，４４は、検査液槽４１に対し縦横方向へ光を発する構成となっている。
【００５９】
前記ＣＣＤカメラ４５は、前記流路部４９の上側で、前記ランプ５３に対向配置されている。ＣＣＤカメラ４５は、前記ランプ５３からの光を前記真珠核１５を通して受光可能となっている。ＣＣＤカメラ４５の信号は、コントローラ９Ａへ入力される。前記ＣＣＤカメラ４６は、前記流路部４９の横方向他方側で、前記ランプ５４に対向配置されている。ＣＣＤカメラ４６は、前記ランプ５４からの光を前記真珠核１５を通して受光可能となっている。ＣＣＤカメラ４６の信号は、コントローラ９Ａへ入力される。
【００６０】
前記検査液槽４１内には、前記真珠核１５よりも比重の大きな毒性の少ない液体５９として、例えばテトラブロモエタンが収容されている。液体５９は、供給部４７から、第１，第２選別路部５１，５３側へ流れて循環する。従って、真珠核１５は、図５のように検査液槽４１内で浮き、供給部４７側から流路部４９を通り、第１選別路部５１又は第２選別路部５３側へ流れる。
【００６１】
前記流路部４９には、前記ＣＣＤカメラ４５，４６に対応して、通過センサを構成する第１通過センサ発光部６１及び第１通過センサ受光部６３が設けられている。第１通過センサ発光部６１、第１通過センサ受光部６３は、前記コントローラ９Ａに接続されている。
【００６２】
従って、コントローラ９Ａの制御による第１通過センサ発光部６１の発光は、第１通過センサ受光部６３で受けられ、コントローラ９Ａへ受光信号が入力される。第１通過センサ発光部６１と第１通過センサ受光部６３との間を真珠核１５が通過すると、第１通過センサ受光部６３での受光量がなくなるか減少するので、コントローラ９Ａにおいて真珠核１５が第１通過センサ発光部６１と第１通過センサ受光部６３との間を通過したと検知する。
【００６３】
前記流路部４９の下流端側には、通過センサを構成する第２通過センサ発光部６５、第２通過センサ受光部６７が設けられている。第２通過センサ発光部６５、第２通過センサ受光部６７は、前記コントローラ９Ａに接続されている。
【００６４】
従って、コントローラ９Ａの制御による第２通過センサ発光部６５の発光は、第２通過センサ受光部６７で受光され、その受光信号がコントローラ９Ａへ入力される。第２通過センサ発光部６５と第２通過センサ受光部６７との間を真珠核１５が通過すると、コントローラ９Ａにおいて前記第１通過センサ発光部６１及び第１通過センサ受光部６３の場合と同様にして、真珠核１５の通過を検出する。
【００６５】
この装置１Ａでは、一次工程で抽出された真珠核１５が、供給部４７側から多数供給され、検査液槽４１を流れる液体５９と共に供給部４７から流路部４９へ一定速度で流れる。流路部４９では、まず真珠核１５が第１通過センサ発光部６１及び第１通過センサ受光部６３間を通過することによって、通過センサ受光部２９での受光が遮られ、コントローラ９Ａへその信号が送られて真珠核１５の通過が検出される。第１通過センサ発光部６１及び第１通過センサ受光部６３によって通過検出が行われるとコントローラ９Ａにおいてカウントアップも同時に行われる。
【００６６】
前記第１通過センサ発光部６１及び第１通過センサ受光部６３とＣＣＤカメラ４５との位置関係及び液体５９の流速とにより、真珠核１５が通過センサ発光部６１及び通過センサ受光部６３間に位置したとき、コントローラ９Ａがランプ４３，４４及びＣＣＤカメラ４５，４６に動作信号を送る。この動作信号により、ランプ４３，４４が発光し、ＣＣＤカメラ４５，４６は真下及び真横から真珠核１５を撮像する。
【００６７】
前記ＣＣＤカメラ４５，４６の撮像信号は、前記コントローラ９Ａに入力され、後述のように真珠核１５の核の材質異方性があるか否かを判別する。
【００６８】
前記流路部４９の下流側では、次に第２通過センサ発光部６５及び第２通過センサ受光部６７により真珠核１５の通過検出が行われる。第２通過センサ発光部６５及び第２通過センサ受光部６７によって通過検出が行われるとコントローラ９Ａにおいてカウントアップも同時に行われる。
【００６９】
コントローラ９Ａでは前記第２通過センサ発光部６５及び第２通過センサ受光部６７での通過検出時のカウントアップと前記第１通過センサ発光部６１及び第１通過センサ受光部６３での通過検出時のカウントアップとを対応させ、前記判別情報に応じてモータ２３を駆動制御する。
【００７０】
前記真珠核１５が異方性があると判別されたときには選別ドア２１が第２選別路部５３側を閉塞するように回動し、真珠核１５は第１選別路部５１側へ流れる。真珠核１５が異方性がないと判断された場合には、選別ドア５５が第１選別路部５１側を閉塞するように回動し、第２選別路部５３側へ流れる。
【００７１】
前記第１，第２選別通路５１，５３では、すくい取り機などによりそれぞれ核１５が取り出される。液体５９はそのまま循環する。
【００７２】
このようにして、真珠核１５の核の材質を的確に且つ連続して大量に選別し、取り出すことができる。
【００７３】
前記核の検査装置１Ａによる核の検査方法の二次工程は、上記のように、球形状の核の交差２軸での異方性を検出することにより、材質に異方性のある核と異方性のない核とを判別するものである。具体的には、異方性のあるどぶ貝又は白チョウ貝などと異方性のないシャコ貝などとを判別する。本実施例において、異方性の検出は、核の光透過率を用いている。
【００７４】
図６は、どぶ貝を用いた核の交差２軸での光透過状態を示し、（ａ）は１軸方向の光透過状態図、（ｂ）は他軸方向での光透過状態図である。すなわち、（ａ）は１軸方向としてＸ軸方向、（ｂ）は他軸方向として直交するＹ軸方向に光を当てた場合を示している。
【００７５】
図６のようにＸ軸方向に光を透過すると核は明るく見え、Ｙ軸方向に透過すると（ｂ）のように暗く見える。
【００７６】
これに対し、図７はシャコ貝を用いた核の光透過状態を示し、（ａ）は１軸方向の光透過状態図、（ｂ）は他軸方向の光透過状態図である。すなわち、（ａ）はＸ軸方向に光を当てた場合、（ｂ）はＹ軸方向に光を当てた場合を示している。
【００７７】
図７のように、Ｘ軸方向、Ｙ軸方向の何れの方向に光を当てた場合についても、シャコ貝の真珠核１５は光透過率の差が殆ど無かった。
【００７８】
従って、図６（ａ），（ｂ）の光透過率の変化と図７（ａ），（ｂ）のそれとを比較することによって、どぶ貝を用いた真珠核であるのか、シャコ貝を用いた真珠核であるのか判別することができる。その他セラミックやプラスチックの人工核等も異方性がなく、同様に判別することができる。さらには、白チョウ貝を用いた真珠核であるのか、シャコ貝を用いた真珠核であるのか等も判別することができる。
【００７９】
図８（ａ）はどぶ貝を用いた真珠核の概略断面図、（ｂ）は同要部拡大断面図、（ｃ）は交差板構造を示す模式図である。
【００８０】
この図８のように、どぶ貝は交差板構造をしており、交差２軸ＸＹにおいて異方性を有している。従って、筋模様に平行な方向であるＸ軸方向での光透過率は高く、筋模様に直交するＹ軸方向では光透過率が低下する。
【００８１】
そして、前記のように、真珠核１５を液体５９に浮かべると、どぶ貝の真珠核を用いた真珠核１５は、筋目が水平方向（Ｘ軸方向）となるように浮き上がり、ランプ４３，４４で光を当てたときにＣＣＤカメラ４５，４６で撮像すると、図６（ａ），（ｂ）のように光透過率の異なった２種の映像を得ることができる。図６（ａ）の映像は、ＣＣＤカメラ４６で撮像され、図６（ｂ）の映像は、ＣＣＤカメラ４５で撮像されたものである。
【００８２】
前記コントローラ９Ａは、前記ＣＣＤカメラ４５，４６からの撮像信号により、図６（ａ），（ｂ）のような映像信号の比較によりどぶ貝の真珠核、図７（ａ），（ｂ）のような映像信号の比較によりそれ以外のシャコ貝等の真珠核であると判別し、前記のように真珠核１５を連続的に仕分けることができる。
【００８３】
なお、どぶ貝とシミ入りどぶ貝の場合は、筋模様が垂直方向（Ｙ軸方向）となるように浮き上がる。従って、ＣＣＤカメラ４５で撮像される映像は図６（ａ）、ＣＣＤカメラ４６で撮像される映像は図６（ｂ）となる。従って、シミ入りどぶ貝の場合も同様に判別することができる。
【００８４】
本実施例では、検査液槽４１で真珠核１５の方向を決定し２方向のみを測定するので、早い検出を行うことができる。
【００８５】
従って、一次工程によって光反射率の相違によって真珠核１５を高速大別することができ、その大別により抽出した真珠核１５を、二次工程において交差２軸での異方性を検出することにより材質に異方性のある核と異方性の無い核とを判別することができる。すなわち、一次工程において高速大別により抽出した真珠核１５のみを、二次工程においてより詳細に判別することができ、迅速且つ的確に核１５を判別することができる。
【００８６】
尚、検査液槽内に液体を静止状態で収容し、検査液層内の底部側から真珠核等を浮上させると、異方性のある真珠核の場合は浮力により回転モーメントが発生し、浮上しながら回転する。この回転をＣＣＤカメラで撮像することにより異方性のあるものと無いものとを判別することもできる。
【００８７】
前記ランプ４３，４４及びＣＣＤカメラ４５，４６は、発した光を受光できる形態のものであれば良く、ＣＣＤカメラ４５，４６を光検出器に代えることもできる。前記ランプ４３，４４及びＣＣＤカメラ４５，４６を、発光素子及び受光素子の組み合わせに代えることもできる。
【００８８】
前記実施例では、どぶ貝の真珠核とシャコ貝等の真珠核とを判別したが、真珠核以外に異方性のある核の材質検査に適用することもできる。この場合、異方性のある球形状の核がＸ軸方向又はＹ軸方向の一方にのみ規則的に筋等を向けて浮き上がる性質のものであれば、発行部及び受光部であるランプ４３，４４及びＣＣＤカメラ４５，４６は、検査液槽４１に対し縦横少なくとも一方に設ければ良い。
【００８９】
前記判別は映像信号の比較により行ったが、光の透過率、又は反射率を直接測定して判別することもできる。
【００９０】
図９は、どぶ貝又はシミ入りどぶ貝を用いた真珠核とシャコ貝を用いた真珠核との透過光の波長に応じた光透過率の測定結果を示したグラフである。透過率の測定法は、紫外光から可視光・赤外光を試料に照射しその透過光と参照光との比から透過率の波長依存性を測定した。
【００９１】
図９において、線分６９はどぶ貝を用いた真珠核に図８のＹ軸方向（筋模様から見て横）から光を当てた場合の変化を示している。線分７０はどぶ貝を用いた真珠核に図８のＸ軸方向（筋模様から見て縦）から光を当てた場合の変化を示している。線分７１はシャコ貝を用いた核に同Ｙ軸方向（便宜上横）から光を当てた場合の変化を示している。線分７２はシャコ貝を用いた真珠核に同Ｘ軸方向（便宜上縦）から光を当てた場合の変化を示している。線分７３はシミ入りどぶ貝を用いたシミ入り真珠核に同Ｙ軸方向（筋模様から見て横）から光を当てた場合の変化を示している。線分７４はシミ入り真珠核に同Ｘ軸方向（筋模様から見て縦）から光を当てた場合の変化を示している。
【００９２】
この図９において、透過率の波長特性より透過率異方性の比較、例えば６００ｎｍと７００ｎｍにおけるどぶ貝の線分７０，６９での縦横の透過率の比較と同シャコ貝の線分７２，７１での縦横の透過率の比較とから、その差が大きい方をどぶ貝を用いた真珠核であると判別することができる。
【００９３】
なお、白チョウ貝やシミ入り真珠核等についても同様な手法で判別することができる。
【００９４】
この場合も、前記のように検査液槽４１で真珠核１５の方向を決定し２方向のみを測定することで、早い検出を行うことができる。
【００９５】
なお、透過率で判別する態様では、真珠核に白チョウ貝等の比較的透明な真珠層が薄く形成された真珠については真珠核と同様に判別することはできるが、真珠層が厚く形成された場合や、黒チョウ貝等の不透明な真珠層の真珠については判別することはできない。
【００９６】
前記二次工程においても、光反射率の特性によって二次判別を行うことも可能である。図１０は、どぶ貝又はシミ入りどぶ貝を用いた真珠核とシャコ貝を用いた真珠核との波長に応じた光反射率の測定結果を示したグラフである。反射率の測定法は、紫外光から可視光・赤外光を試料に照射しその反射光と参照光との比から反射率の波長依存性を測定した。
【００９７】
図１０において、線分７５はどぶ貝を用いた真珠核に図８のＹ軸方向（筋模様から見て横）から光を当てた場合の変化を示している。線分７６はどぶ貝を用いた真珠核に図８のＸ軸方向（筋模様から見て縦）から光を当てた場合の変化を示している。線分７７はシャコ貝を用いた真珠核に同Ｙ軸方向（便宜上横）から光を当てた場合の変化を示している。線分７８はシャコ貝を用いた真珠核に同Ｘ軸方向（便宜上縦）から光を当てた場合の変化を示している。線分７９はシミ入りどぶ貝を用いたシミ入り真珠核に同Ｙ軸方向（筋模様から見て横）から光を当てた場合の変化を示している。線分８０はシミ入り真珠核に同Ｘ軸方向（筋模様から見て縦）から光を当てた場合の変化を示している。
【００９８】
この図１０において、反射率の波長特性より短波長域の反射率の比較、例えば３００ｎｍと４００ｎｍにおけるどぶ貝の線分７６，７５での縦横の反射率の比較と同シャコ貝の線分７８，７７での縦横の反射率の比較とから、その差が大きい方をどぶ貝を用いた真珠核であると判別することができる。
【００９９】
このように、一次工程において高速大別により抽出した真珠核１５のみを、二次工程においてより詳細に判別することができ、迅速且つ的確に核を判別することができる。
【０１００】
なお、シミ入り真珠核についても同様な手法で判別することができる。
【０１０１】
この場合も、前記のように検査液槽４１で真珠核１５の方向を決定し２方向のみを測定することで、早い検出を行うことができる。
【０１０２】
また、反射率で判別する態様では、真珠の判別はできないが、真珠に紐を通すための穴があけられた穴あき真珠の判別には有効である。この場合、真珠の穴に光ファイバーを挿入することによって反射光を受光することになる。
【０１０３】
本実施例では、一次工程と二次工程とを行っていたが、一次工程のみ行うことも可能である。
【０１０４】
本実施例の一次工程では、２８０Ｎｍと４００Ｎｍとの異なる２波長に対する光反射率の特性によって真珠核１５を判別していたが、異なる３波長やそれ以上の複数の波長に対する光反射率の特性によって真珠核１５を判別してもよい。
【実施例２】
【０１０５】
図１１は、本発明の実施例２に係る核の検査装置１Ｂの概略平面図を示している。なお、実施例１と対応する構成部分には同符号又は同符号にＢを付して説明する。
【０１０６】
本実施例は、上記実施例１と同様に、二次工程において、交差２軸での異方性を検出することにより材質に異方性のある核と異方性の無い核とを二次判別するものである。なお、本実施例においても、どぶ貝とシャコ貝の場合を例にとって説明する。
【０１０７】
本実施例の核の検査装置１Ｂは、検査通路８５と、第１，第２検査部８１，８３と、判別手段としてのコントローラ９Ｂとを備えている。
【０１０８】
前記検査通路８５は、供給部４７Ｂ、流路部４９Ｂ、第１，第２選別路部５１Ｂ，５３Ｂを備えている。
【０１０９】
前記検査通路８５では、液体によって真珠核１５を流すのではなく、真珠核１５を流路部４９Ｂに沿って転がす。
【０１１０】
前記流路部４９Ｂの下流端には、モータ５７によって駆動される選別ドア５５が実施例１同様に設けられている。
【０１１１】
前記第１，第２検査部８１，８３は、前記流路部４９Ｂに沿って一定の間隔をおいて配置され、前記真珠核１５を透過する波長の異なる光の光透過率を検出する。
【０１１２】
具体的には、第１，第２検査部８１，８３は、ランプ８７，８９と、受光部９１，９３と、干渉フィルタ９５，９７とからなっている。コントローラ９Ｂの制御によってランプ８７，８９が駆動されると、その光が真珠核１５を通って干渉フィルタ９５，９７に至る。干渉フィルタ９５，９７では、特定の波長の光のみを通し、受光部９１，９３で受光される。受光部９１，９３の信号は、コントローラ９Ｂに入力される。
【０１１３】
前記干渉フィルタ９５は、例えば、λ＝６００ｎｍの波長の光のみを透過し、干渉フィルタ９７は、λ＝７００ｎｍの波長の光のみを通すように設定されている。
【０１１４】
前記コントローラ９Ｂにおいて、前記受光部９１，９３で受光される特定波長の光透過率を比較することによって、真珠核１５の材質を判別する。
【０１１５】
前記第１，第２検査部８１，８３の動作タイミングは、第１通過センサ発光部６１及び第１通過センサ受光部６３による通過検出タイミングに応じて行われ、選別ドア５５の駆動は、実施例１同様に第２通過センサ発光部６５及び第２通過センサ受光部６７による通過検出のタイミングに応じて行われる。なお、第１通過センサ発光部６１及び第１通過センサ受光部６３は、第１，第２検査部８１，８３のそれぞれに対応して設ける構成にすることもできる。
【０１１６】
そして、前記図９のように透過率変化の傾きがどぶ貝、シミ入りどぶ貝の真珠核とシャコ貝の真珠核とでは異なっている。
【０１１７】
従って、前記のように第１，第２検査部８１，８３において、真珠核１５が第１，第２検査部８１，８３をそれぞれ通過する際にランプ８７，８９でそれぞれ光を当て、受光部９１，９３で特定の波長の光を受光することにより、コントローラ９Ｂにおいてどぶ貝を用いた真珠核１５であるのか、シャコ貝を用いた真珠核１５であるのかを連続的に判別することができる。
【０１１８】
従って、白チョウ貝を用いた真珠核であるか、シャコ貝を用いた真珠核であるかも連続的に判別することができる。
【０１１９】
このため、上記実施例１同様、一次工程において高速大別により抽出した真珠核１５のみを、二次工程においてより詳細に判別することができ、迅速且つ的確に核を判別することができる。
【０１２０】
しかも、この判別の場合には、実施例１のように、液体を用いて流すことなく、真珠核１５を流路部４９Ｂ上に単に転がして移動させるだけでよいため、核の材質の判別をより迅速に行うことができる。
【０１２１】
判別結果によって、第１，第２選別流路部５１Ｂ，５３Ｂに選択的に流されるのは、実施例１と同様である。
【０１２２】
尚、前記干渉フィルタ９５，９７を用いることなく、半導体レーザを用い、特定の波長のレーザ光を真珠核１５に当てる構成や、第１検査部９１に回析格子分光器を組み込んで第１検査部９１のみの構成とすることも可能である。
【０１２３】
図１２は、本実施例の変形例を示している。この実施例では、レーザ出力部９９から出力されたレーザ光を真珠核１５で反射させ、受光部１０１で受光するようにしたものである。
【０１２４】
そして、前記図１０のように反射率変化の傾きがどぶ貝、シミ入りどぶ貝の真珠核とシャコ貝の真珠核とでは異なっている。
【０１２５】
このため、第１，第２検査部８１，８３において検出される特定波長（例えば３００ｎｍと４００ｎｍ）の光反射率を比較することによって、どぶ貝を用いた真珠核１５であるのか、シャコ貝を用いた真珠核１５であるのかを判別することができる。
【０１２６】
従って、白チョウ貝を用いた真珠核１５であるのか、シャコ貝を用いた真珠核１５であるのかも判別することができる。
【０１２７】
このため、上記実施例同様、一次工程において高速大別により抽出した真珠核１５のみを、二次工程においてより詳細に判別することができ、迅速且つ的確に核を判別することができる。
【０１２８】
また、シャコ貝以外の人工核など等方性のある材質の核の場合も、シャコ貝と同様に取り扱うことができ、どぶ貝を用いた核であるのか、その他の材質の核であるのかを判別することができる。
【０１２９】
本実施例でも、真珠核に真珠層が形成されると判別できないが、真珠に紐を通すための穴があけられた穴あき真珠の判別には有効である。
【実施例３】
【０１３０】
図１３は、本発明の実施例３に係る核の材質検査装置１Ｃの概略全体図を示している。
【０１３１】
本実施例においては、二次工程において磁化率に基づいて異方性のある核とない核とを判別するものである。なお、本実施例においても、どぶ貝とシャコ貝の場合を例にとって説明する。
【０１３２】
核の材質検査装置１Ｃは、支持手段１０３と、磁化率検査手段１０５と、判別手段としてのコントローラ９Ｃとよりなっている。
【０１３３】
前記支持手段１０３は、球形状の真珠核１５を支持部１０７に着脱自在に支持し、支持部１０７に支持した真珠核１５に振動を付与可能となっている。支持部１０７は非磁性体であり、例えば樹脂製中空の可撓パイプで形成されている。前記真珠核１５は、支持部１０７先端にエアの吸引力等によって着脱自在に支持される。
【０１３４】
前記真珠核１５に対する振動は、支持手段１０３の振動発生器１０９で行う。支持部１０７の端部は、前記振動発生器１０９に結合されている。振動発生器１０９は、前記コントローラ９Ｃに接続され、該コントローラ９Ｃによって駆動制御される。
【０１３５】
前記磁化率検査手段１０５は、比較試料として、小磁石コイル１１１、検出コイル１１３、比較コイル１１５、磁極１１７を備えている。
【０１３６】
前記小磁石コイル１１１は、前記ハウジング１１９内において、前記支持部１０７の端部側に取り付けられている。前記検出コイル１１３は、前記支持部１０７先端の真珠核１５周囲に配置され、前記比較コイル１１５は、前記小磁石コイル１１１の周囲に配置されている。検出コイル１１３及び比較コイル１１５の出力信号は、コントローラ９Ｃに入力されるようになっている。前記磁極１１７は、コントローラ９Ｃによって制御される。
【０１３７】
この装置では、振動発生器１０９により支持部１０７先端の真珠核１５を振動させながら、検出コイル１１３、比較コイル１１５からの信号によって、真珠核１５の磁化率を測定することができる。この磁化率の測定は、コントローラ９Ｃによる磁極１１７の制御によって、磁界の強さを変化させることによって行う。
【０１３８】
この結果、図１４のような測定値を得ることができた。
【０１３９】
図１４（ａ），（ｂ）はどぶ貝を核として用いた場合の検出結果、（ｃ），（ｄ）はシャコ貝を核として用いた場合の検出結果、（ｅ），（ｆ）はシミ入りどぶ貝を核として用いた場合の検出結果であり、（ａ），（ｃ），（ｅ）は１軸方向であるＸ軸方向の磁化変化を示すグラフ、（ｂ），（ｄ），（ｆ）は他軸方向であるＹ軸方向の磁化変化を示すグラフである。ＸＹ軸は直交２軸であるが、どぶ貝の核及びシミ入りどぶ貝の核の場合、Ｘ軸方向を図８で説明した筋模様に平行する方向とし、Ｙ軸方向は同筋模様に直交する方向としている。
【０１４０】
この測定結果のように、どぶ貝を真珠核１５に用いた場合、シャコ貝を真珠核１５に用いた場合には、反磁性の特性を示し、シミ入りどぶ貝を真珠核１５に用いた場合には、常磁性の特性を示した。材質に異方性を有するどぶ貝を真珠核１５に用いた場合には、支持部１５に対する支持状態を変えて測定した結果に違いが見られた。
【０１４１】
具体的には、（ａ），（ｂ）の比較では、（ａ）の０点から３段目まで上がったときの値が（ｂ）の同４段目の値と等しくなっており、（ｅ）では０点から３段目に至った値が（ｆ）の０点から２．５段目に至った値に一致している。この結果から明らかなように、どぶ貝の真珠核１５では、前記Ｘ軸方向、Ｙ軸方向での磁化率の測定値に変化が現れた。これに対し、シャコ貝を真珠核１５に用いた（ｃ），（ｄ）の測定結果では、何れも同じ値を示し、測定値に違いを見ることができなかった。
【０１４２】
この結果、図２の支持部１５に対する真珠核１５の支持方向を異ならせて磁化を測定し、前記のように磁化率の変化が現れた場合にはどぶ貝を用いた真珠核１５であると判別し、違いが見られない場合にはシャコ貝を用いた真珠核１５であると判別することができる。
【０１４３】
同様に、白チョウ貝を用いた真珠核１５である、シャコ貝を用いた真珠核１５であるかも判別することができる。
【０１４４】
従って、上記実施例１同様、一次工程において高速大別により抽出した真珠核１５のみを、二次工程においてより詳細に判別することができ、迅速且つ的確に核を判別することができる。
【０１４５】
この場合、実施例１の検査液槽４１の場合と同様に、真珠核１５を液体に浮かせ、その方向を決定してから２方向のみを測定すると、早い検出を行うことができる。
【０１４６】
図１５は真珠核の周りに真珠層を形成した真珠について測定した結果を示し、（ａ），（ｂ）は黒蝶貝を真珠核に用いた真珠の検出結果であり、（ｃ），（ｄ）はシャコ貝を真珠核に用いた真珠の検出結果であり、（ａ），（ｃ）は１軸方向であるＸ軸方向の磁化変化を示すグラフであり、（ｂ），（ｄ）は他軸方向であるＹ軸方向の磁化変化の検出結果を示すグラフである。
【０１４７】
この場合も、実施例１の検査液槽４１の場合と同様に、真珠を液体に浮かせ、その方向を決定してから２方向のみを測定すると、早い検出を行うことができる
この図１５の測定結果においても、黒蝶貝を真珠核に用いた黒蝶真珠の場合には、材質の異方性によって（ａ），（ｂ）の測定結果に違いが見られ、シャコ貝を真珠核に用いた真珠の場合には、（ｃ），（ｄ）のように違いが見られなかった。
【０１４８】
図１６は、前記図１４、図１５の測定結果をもとに、支持部１５に対する支持状態の変更による磁化率の比を数値として示した図表である。尚、図１６では、白チョウ貝を真珠核として用いた白チョウ真珠についても数値を加えている。
【０１４９】
図１６で、磁化率縦横比は、支持部１５にＸ軸、Ｙ軸方向の取付状態を変更して測定した結果の比である。この結果、どぶ貝核（どぶ貝の真珠核）は、磁化率縦横比１５．６〜８３．０％、シミ入りどぶ貝核（シミ入りどぶ貝の真珠核）は１３．１〜６５．６％、白チョウ真珠は３４．４０％、黒蝶真珠は９．２０％であるのに対し、シャコ貝核（シャコ貝の真珠核）は１．４〜８．４％、シャコ貝核真珠は１．２５〜２．６２％であった。この検出値の違いに基づきシャコ貝核あるいはシャコ貝核真珠を明確に区別し、判別することができる。
【０１５０】
この結果、前記コントローラ７により図１４、図１５のような検出結果を読み込み、前記のように比較することでシャコ貝の真珠核、人工核など等方性のある核を異方性のある核に対して判別することができる。
【実施例４】
【０１５１】
図１７は、実施例４に係る核の検査装置１Ｄの概略全体平面図を示している。
【０１５２】
本実施例の核の検査装置１Ｄは、外側コイル１２１と、第１，第２検査コイル１２３，１２５と、可動位置決め体１２１と、判別手段としてのコントローラ９Ｄとからなっている。
【０１５３】
前記外側コイル１２１は、低周波発電機１２７に接続されている。前記第１，第２検査コイル１２３，１２５は、互いに逆向きに巻回されて前記外側コイル１２１内に配置され、コントローラ９Ｄ側の平衡回路に接続されている。コントローラ９Ｄは、電圧を測定し、測定電圧が検出磁化となっている。
【０１５４】
前記可動位置決め体１２１は、球形状の真珠核１５を支持し、該真珠核１５を第１，第２検査コイル１２３，１２５内に配置、移動させ得る構成となっている。可動位置決め体１２９は、支持フレーム１３１を備えている。支持フレーム１３１に連結シャフト１３３が連結されている。連結シャフト１３３は、図外のリニア駆動部などによって駆動されるようになっている。連結シャフト１３３を介して支持フレーム１３１を移動させ、真珠核１５を第１検査コイル１２３内又は第２検査コイル１２５内に配置、移動させることができる。
【０１５５】
前記コントローラ９Ｄは、連結シャフト１３３を操作して前記第１，第２検査コイル１２３，１２５の一方に前記真珠核１５を位置決めたとき、同他方の磁化の検出値が零になるように調整する。この零調整後に第１，第２検査コイル１２３，１２５の他方の磁化の検出値が零になる位置（中心対称位置で、図１７の鎖線図示の位置）に真珠核１５を移動させる。該位置で検出した真珠核１５の交差２軸での磁化に基づいて、該真珠核１５の材質を判別する。
【０１５６】
前記交差２軸での磁化の検出は、真珠核１５を支持フレーム１３１上で回転させ、図８で示すＸ軸、Ｙ軸の向きをフレーム１３１上で変更することにより実行される。
【０１５７】
図１８、図１９は、前記可動位置決め体１２９の回転駆動部１３４を示し、図１８は支持フレーム１３１先端側の断面図、図１９は図１８のＳＡ−ＳＡ矢視における断面図である。
【０１５８】
図１８、図１９のように、支持フレーム１３１上には、受け皿１３５が設けられている。支持フレーム１３１の下面側に支持された軸１３７にゴムローラ１３９が取り付けられている。ゴムローラ１３９の外周部は、支持フレーム１３１及び受け皿１３５を貫通して、真珠核１５に接している。軸１３７は、図外の駆動部に連結されている。
【０１５９】
従って、駆動部の駆動によって、軸１３７が回転すると、ゴムローラ１３９が連動する。ゴムローラ１３９が回転すると、これに接する真珠核１５も回転し、回転前に真珠核１５のＸ軸が上下方向に向いていたとき回転により同横方向に向けることができる。
【０１６０】
判別に際しては、図１７において、まず零点調整を行う。例えば、コントローラ９Ｄの駆動信号により連結シャフト１３３を軸方向駆動させる。この駆動によって支持フレーム１３１を介し真珠核１５を第２検査コイル１２５内に位置させ、第１検査コイル１２３側の検出磁化が零となるように調整する。この調整はコントローラ９Ｄの制御で行われ、第１検査コイル１２３側の検出磁化が零となる位置は、コントローラ９Ｄにより記憶される。
【０１６１】
次に、コントローラ９Ｄの制御で連結シャフト１３３の軸方向駆動を戻す。この駆動の戻しで支持フレーム１３１を介し真珠核１５を第１検査コイル１２３内の磁化零の位置に配置する。このとき第１検査コイル１２３側は、反対の磁界となっているため、差分の磁化が検出される。
【０１６２】
この検出を、前記回転駆動部１３４の駆動によって真珠核１５を回転させ、そのＸＹ軸方向を変えて測定する。コントローラ９Ｄは、この測定値の比率を比較することによって異方性のあるどぶ貝を用いた真珠核１５か、等方性のシャコ貝等を用いた真珠核１５かを判別する。
【０１６３】
図２０は、磁化の異方性を示す形状指数を表すグラフである。
【０１６４】
図２０において、点１４１は、どぶ貝を真珠核とした場合の測定比率から求めた形状指数であり、点１４３は、どぶ貝の真珠核を用いた真珠の測定比率から求めた形状指数であり、点１４５は、シャコ貝を真珠核とした場合の測定比率から求めた形状指数である。
【０１６５】
この図２０の結果のように、シャコ貝を真珠核とした場合には、形状指数がある一定範囲内に集約する。このため、シャコ貝以外のどぶ貝を用いた真珠核と、シャコ貝を用いた真珠核とを明確に区別し、判別することができる。
【０１６６】
従って、上記実施例１同様、一次工程において高速大別により抽出した真珠核１５のみを、二次工程においてより詳細に判別することができ、迅速且つ的確に核を判別することができる。
【０１６７】
尚、本発明の核の検査方法及び装置において、上記各実施例で真珠核を判別するのに用いたものは、真珠層を形成した後の真珠の真珠核、或いは真珠以外に用いる核、同被覆材で被覆された核の材質を検査することに用いることもできる。
【図面の簡単な説明】
【０１６８】
【図１】核の検査装置の概略全体図である（実施例１）。
【図２】参照光としてのランプの波長特性を示すグラフである（実施例１）。
【図３】セラミック、珊瑚、プラスチック、バイロナイト、白チョウ貝、イケチョウ貝、シミ入りどぶ貝、どぶ貝、又はシャコ貝を用いた真珠核の光反射率の測定結果を示したグラフである（実施例１）。
【図４】二次工程に用いられる核の検査装置の概略平面図である（実施例１）。
【図５】次工程に用いられる核の検査装置の要部概略側面図である（実施例１）。
【図６】どぶ貝を用いた核の交差２軸での光透過状態を示し、（ａ）は１軸方向の光透過状態図、（ｂ）は他軸方向での光透過状態図である（実施例１）。
【図７】シャコ貝を用いた核の光透過状態を示し、（ａ）は１軸方向の光透過状態図、（ｂ）は他軸方向の光透過状態図である（実施例１）。
【図８】（ａ）はどぶ貝を用いた真珠核の概略断面図、（ｂ）は同要部拡大断面図、（ｃ）は交差板構造を示す模式図である（実施例１）。
【図９】核の光透過率と波長との関係を示すグラフである（実施例１）。
【図１０】核の光反射率と波長との関係を示すグラフである（実施例１）。
【図１１】本発明に係る核の検査装置の概略平面図である（実施例２）。
【図１２】変形例に係る要部概略図である（実施例２）。
【図１３】本発明に係る核の検査装置の概略全体図である（実施例３）。
【図１４】（ａ），（ｂ）はどぶ貝を核として用いた場合の検出結果、（ｃ），（ｄ）はシャコ貝を核として用いた場合の検出結果、（ｅ），（ｆ）はシミ入りどぶ貝を核として用いた場合の検出結果であり、（ａ），（ｃ），（ｅ）は１軸方向での磁力の変化を示すグラフ、（ｂ），（ｄ），（ｆ）は他軸方向での磁力変化を示すグラフである（実施例３）。
【図１５】（ａ），（ｂ）は黒蝶貝を核に用いた真珠の検出結果であり、（ｃ），（ｄ）はシャコ貝を核に用いた真珠の検出結果であり、（ａ），（ｃ）は１軸方向の磁力変化を示すグラフであり、（ｂ），（ｄ）は他軸方向の磁力変化の検出結果を示すグラフである（実施例３）。
【図１６】各材質の核による磁化率縦横比を示す図表である（実施例３）。
【図１７】本発明に係る核の検査装置の概略全体平面図である（実施例４）。
【図１８】回転駆動部を示す断面図である（実施例４）。
【図１９】図１８のＳＡ−ＳＡ矢視方向から見た回転駆動部を示す断面図である（実施例４）。
【図２０】磁化の測定比率から求めた形状指数を示すグラフである（実施例４）。
【符号の説明】
【０１６９】
１  検査装置
５  ランプ（照射手段）
７  検査手段
９  コントローラ（判別手段）
１５  真珠核
【図１】
2006208204.tif 000003
【図２】
2006208204.tif 000004
【図３】
2006208204.tif 000005
【図４】
2006208204.tif 000006
【図５】
2006208204.tif 000007
【図６】
2006208204.tif 000008
【図７】
2006208204.tif 000009
【図８】
2006208204.tif 000010
【図９】
2006208204.tif 000011
【図１０】
2006208204.tif 000012
【図１１】
2006208204.tif 000013
【図１２】
2006208204.tif 000014
【図１３】
2006208204.tif 000015
【図１４】
2006208204.tif 000016
【図１５】
2006208204.tif 000017
【図１６】
2006208204.tif 000018
【図１７】
2006208204.tif 000019
【図１８】
2006208204.tif 000020
【図１９】
2006208204.tif 000021
【図２０】
2006208204.tif 000022